(57)【要約】【課題】レーザー光源の光源像を集光して鮮明な集光像を得ることができる集光光学系からなる光照射装置を提供すると共に、その光照射装置を用いることにより高解像度の配光パターンを形成することができる車両用灯具を実現する。【解決手段】出射されるレーザービームの光源像が互いに直交する方向に短軸と長軸を有するレーザー光源５と、短軸方向に入射したレーザービームを集光方向に屈折させて出射すると共に長軸方向に入射したレーザービームをほぼ直進させて出射する光学機能面を有する第１レンズ１０及び長軸方向に入射したレーザービームを集光方向に屈折させて出射すると共に短軸方向に入射したレーザービームをほぼ直進させて出射する光学機能面を有する第２レンズ２０の２つのバイコーニックレンズで構成し、レーザー光源５側に第１レンズ１０を配置した。【選択図】図１
2019129076.tif 000002
【特許請求の範囲】
【請求項１】
レーザー光源と、
１つのバイコーニックレンズを備え、
前記レーザー光源と前記バイコーニックレンズは夫々の光軸が同一直線上に位置し、
前記レーザー光源は、出射されるレーザービームの光源像が互いに直交する方向に短軸と長軸を有し、
前記バイコーニックレンズの一方の面は、前記短軸方向に向かうレーザービームを屈折して前記長軸方向に向かうレーザービームをほぼ直進させる光学機能面からなり、他方の面は、前記短軸方向に向かうレーザービームをほぼ直進させて前記長軸方向に向かうレーザービームを屈折する光学機能面からなり、
前記バイコーニックレンズの前記一方の面が前記他方の面よりも前記レーザー光源側に位置し、
前記レーザー光源から出射して前記短軸方向に向かうレーザービーム及び前記レーザー光源から出射して前記長軸方向に向かうレーザービームは、前記バイコーニックレンズを介することで異なる倍率で同一位置に集光像を形成することを特徴とする光照射装置。
【請求項２】
レーザー光源と、
第１レンズ及び第２レンズの２つのバイコーニックレンズを備え、
前記レーザー光源、前記第１レンズ及び前記第２レンズは夫々の光軸が同一直線上に位置し、
前記レーザー光源は、出射されるレーザービームの光源像が互いに直交する方向に短軸と長軸を有し、
前記第１レンズは、前記短軸方向に入射したレーザービームを集光方向に屈折させて出射すると共に前記長軸方向に入射したレーザービームをほぼ直進させて出射する光学機能面を有し、
前記第２レンズは、前記長軸方向に入射したレーザービームを集光方向に屈折させて出射すると共に前記短軸方向に入射したレーザービームをほぼ直進させて出射する光学機能面を有し、
前記第１レンズが前記第２レンズよりも前記レーザー光源側に位置し、
前記レーザー光源から出射して前記短軸方向に向かうレーザービーム及び前記レーザー光源から出射して前記長軸方向に向かうレーザービームは、前記第１レンズ及び前記第２レンズを介することで異なる倍率で同一位置に集光像を形成することを特徴とする光照射装置。
【請求項３】
前記光照射装置と、
ＭＥＭＳと、
波長変換部材を備え、
前記光照射装置による前記集光像が、前記ＭＥＭＳを構成する可動ミラーによって前記波長変換部材に２次元的に走査照射され、前記波長変換部材で色相変換された光が前方を２次元的に走査照射して面状に照らすことを特徴とする請求項１又は請求項２のいずれかに記載された車両用灯具。
【請求項４】
前記波長変換部材からの出射光の配光制御を行う投影レンズを有することを特徴とする請求項３に記載の車両用灯具。
【発明の詳細な説明】
【技術分野】
【０００１】
本発明は、光照射装置及び車両用灯具に関するものであり、詳しくは、レーザー光源から出射されたレーザービームのビーム径を絞って所定の集光位置に集光させる集光光学系を有する光照射装置及びその光照射装置を用いた車両用灯具に関する。
【背景技術】
【０００２】
従来、この種の光照射装置としては、例えば、特許文献１に「車両用前照灯」の名称で開示されたものがある。
【０００３】
開示された車両用前照灯は、ＬＥＤ光源又はレーザー光源からなる励起光源から出射された青色光又は紫色光を集光レンズによって集光方向に光路制御してスキャンデバイスからなる走査機構を構成する２軸方向に傾動可能な反射鏡（例えばＭＥＭＳミラー）に照射し、反射鏡を２軸方向に回動することにより照射光の反射光を蛍光体に２次元的に照射し、蛍光体を透過して色相変換された白色光が投影レンズで配光制御されて前面カバーを通して車両前方に照射される。
【０００４】
この場合、集光レンズを下記構成とすることが開示されている。
【０００５】
それは、集光レンズを励起光源側に位置する第１レンズと第１レンズの、励起光源と反対側に位置する第２レンズとの組み合わせで構成し、第１レンズ及び第２レンズはいずれも励起光源側の面を平面、励起光源と反対側の面を円弧柱面とするシリンドリカル形状を有すると共に互いに直交する方向に延びるように配置している。
【０００６】
これにより、励起光源から出射された光が第１レンズ及び第２レンズを透過することにより互いに直交する２つの方向に偏向され、円形等の自在な光像を蛍光体に照射することにより自在性の高い配光パターンを形成するものである（特許文献１の図５参照）。
【０００７】
また、特許文献２に車両用前照灯の光学的要素の構成として開示されたものがある。
【０００８】
それは、半導体光源から放出される青色レーザー光が集光レンズによって集光されてＭＥＭＳミラーに入射し、ＭＥＭＳミラーによって二次元スキャンされた反射光が黄色蛍光体を備えた波長変換部材に入射され、波長変換部材からは青色レーザー光で励起された黄色蛍光体から発せられた黄色光と波長変換部材を透過した青色レーザー光との加法混色の疑似白色光が得られる。
【０００９】
そして、この疑似白色光のスキャン動作と半導体光源の点消灯制御とのタイミングを図ることにより設定した照射範囲に所定の配光パターンが形成され、投影レンズを通して前方車両の位置に応じた選択的な光照射が行われる（特許文献２の図２参照）。
【先行技術文献】
【特許文献】
【００１０】
【特許文献１】特開２０１７−１７４６３７公報
【特許文献２】特開２０１６−１１７３５２公報
【発明の概要】
【発明が解決しようとする課題】
【００１１】
ところで、上記引用文献１の構成による車両用前照灯は、励起光源から出射されて該励起光源の光軸を含む第１レンズの延長方向に垂直な面に沿って進む光は、第１レンズのシリンドリカル面で圧縮（集光方向に屈折）された後に第２レンズの平面及びシリンドリカル面で屈折され、励起光源から出射されて該励起光源の光軸を含む第２レンズの延長方向に垂直な面に沿って進む光は、第２レンズの平面に至る前に第１レンズの平面及びシリンドリカル面で屈折されてその屈折光が第２レンズのシリンドリカル面で圧縮（集光方向に屈折）される。
【００１２】
そのため、励起光源から出射されて第１レンズ及び第２レンズを透過した光による光像の形成位置にずれが生じ、ぼやけた輪郭を有する光像が形成されることになる（図１４の光像参照）。
【００１３】
また、上記引用文献２の構成による車両用前照灯は、波長変換部材に入射する集光像が一方向に極めて長い帯状を呈するものである。そのため、前方車両の位置に対応した選択的な光照射によって高解像度の配光パターンを得ることが難しい（図１５の集光像参照）。
【００１４】
そこで、本発明は上記問題に鑑みて創案なされたものであり、その目的とするところは、レーザー光源の光源像を集光して鮮明な集光像を得ることができる集光光学系からなる光照射装置を提供すると共に、その光照射装置を用いることにより高解像度の配光パターンを形成することができる車両用灯具を実現する。
【課題を解決するための手段】
【００１５】
上記課題を解決するために、本発明の請求項１に記載された発明は、レーザー光源と、１つのバイコーニックレンズを備え、前記レーザー光源と前記バイコーニックレンズは夫々の光軸が同一直線上に位置し、前記レーザー光源は、出射されるレーザービームの光源像が互いに直交する方向に短軸と長軸を有し、前記バイコーニックレンズの一方の面は、前記短軸方向に向かうレーザービームを屈折して前記長軸方向に向かうレーザービームをほぼ直進させる光学機能面からなり、他方の面は、前記短軸方向に向かうレーザービームをほぼ直進させて前記長軸方向に向かうレーザービームを屈折する光学機能面からなり、  前記バイコーニックレンズの前記一方の面が前記他方の面よりも前記レーザー光源側に位置し、前記レーザー光源から出射して前記短軸方向に向かうレーザービーム及び前記レーザー光源から出射して前記長軸方向に向かうレーザービームは、前記バイコーニックレンズを介することで異なる倍率で同一位置に集光像を形成することを特徴とするものである。
【００１６】
また、本発明の請求項２に記載された発明は、レーザー光源と、第１レンズ及び第２レンズの２つのバイコーニックレンズを備え、前記レーザー光源、前記第１レンズ及び前記第２レンズは夫々の光軸が同一直線上に位置し、前記レーザー光源は、出射されるレーザービームの光源像が互いに直交する方向に短軸と長軸を有し、前記第１レンズは、前記短軸方向に入射したレーザービームを集光方向に屈折させて出射すると共に前記長軸方向に入射したレーザービームをほぼ直進させて出射する光学機能面を有し、前記第２レンズは、前記長軸方向に入射したレーザービームを集光方向に屈折させて出射すると共に前記短軸方向に入射したレーザービームをほぼ直進させて出射する光学機能面を有し、前記第１レンズが前記第２レンズよりも前記レーザー光源側に位置し、前記レーザー光源から出射して前記短軸方向に向かうレーザービーム及び前記レーザー光源から出射して前記長軸方向に向かうレーザービームは、前記第１レンズ及び前記第２レンズを介することで異なる倍率で同一位置に集光像を形成することを特徴とするものである。
【００１７】
また、本発明の請求項３に記載された発明は、請求項１又は請求項２のいずれかにおいて、前記光照射装置と、ＭＥＭＳと、波長変換部材を備え、前記光照射装置による前記集光像が、前記ＭＥＭＳを構成する可動ミラーによって前記波長変換部材に２次元的に走査照射され、前記波長変換部材で色相変換された光が前方を２次元的に走査照射して面状に照らすことを特徴とするものである。
【００１８】
また、本発明の請求項４に記載された発明は、請求項３において、前記波長変換部材からの出射光の配光制御を行う投影レンズを有することを特徴とするものである。
【発明の効果】
【００１９】
本発明によれば、出射されるレーザービームの光源像が互いに直交する方向に短軸と長軸を有するレーザー光源に対して、短軸方向に入射したレーザービームを集光方向に屈折させて出射すると共に長軸方向に入射したレーザービームをほぼ直進させて出射する光学機能面を有する第１レンズと、長軸方向に入射したレーザービームを集光方向に屈折させて出射すると共に短軸方向に入射したレーザービームをほぼ直進させて出射する光学機能面を有する第２レンズ２０の２つのバイコーニックレンズを配置し、それによって短軸方向に向かうレーザービームと長軸方向に向かうレーザービームが同一位置に集光像を形成するようにした。
【００２０】
その結果、レーザー光源の光源像を集光して鮮明な集光像を得ることができる集光光学系からなる光照射装置を提供すると共に、その光照射装置を用いることにより高解像度の配光パターンを形成することができる車両用灯具を実現する。
【図面の簡単な説明】
【００２１】
【図１】光照射装置を構成する集光光学系の構成斜視図である。
【図２】第１レンズの斜視図である。
【図３】図２のＡ−Ａ断面図である。
【図４】図２のＢ−Ｂ断面図である。
【図５】第２レンズの斜視図である。
【図６】図５のＣ−Ｃ断面図である。
【図７】図５のＤ−Ｄ断面図である。
【図８】レーザー光源からＸ軸方向に出射されたレーザービームの光路説明図である。
【図９】レーザー光源からＹ軸方向に出射されたレーザービームの光路説明図である。
【図１０】集光光学系の構成部材の位置関係を示す説明図である。
【図１１】同じく、集光光学系の構成部材の位置関係を示す説明図である。
【図１２】集光光学系による集光像である。
【図１３】光照射装置を用いた車両用灯具の構成説明図である。
【図１４】従来の集光光学系による光像である。
【図１５】従来の集光光学系による集光像である。
【発明を実施するための形態】
【００２２】
以下、この発明の好適な実施形態を図１〜図１３を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２３】
本発明の光照射装置は、例えば、レーザー走査系のＡＤＢ（Adaptive Driving Beam）システムを備えた車両用灯具において、レーザー走査系を構成するＭＥＭＳ（Micro Electro Mechanical Systems)の可動ミラーに照射するレーザービームの集光を図る集光光学系を有している。
【００２４】
本発明の光照射装置を構成する集光光学系１は、図１に示すように、レーザー光源（LＤ：Laser Diode）５と、レーザー光源５側に位置する第１レンズ１０及び第１レンズ１０の、レーザー光源５と反対側に位置する第２レンズ２０の２つの光学レンズを備えている。
【００２５】
レーザー光源５は、出射されるレーザービームの光源像が互いに直交する方向に短軸と長軸を有するものであり、以下の説明においては、レーザー光源５からの出射光（レーザービーム）の進行方向をＺ軸方向とし、レーザー光源５から出射されたレーザービームの光源像の長軸方向をＸ軸方向とし、光源像の短軸方向をＹ軸方向とする。Ｘ軸方向とＹ軸方向は互いに直交する方向を向いている。尚、レーザー光は短軸方向のＹ方向に広がりやすく、長軸方向のＸ方向ではＹ方向ほど広がらず、第１レンズ１０に到達する際にはＹ軸方向のほうがＸ軸方向よりも幅広となっている。
【００２６】
第１レンズ１０及び第２レンズ２０はいずれも夫々の光軸ＡＸＬ１及びＡＸＬ２が、Ｚ軸方向に沿って延びるレーザー光源５の光軸ＡＸＤと同一直線上に位置するように配置されており、いずれも所謂バイコーニックレンズからなっている。
【００２７】
つまり、第１レンズ１０は、該第１レンズ１０の光軸ＡＸＬ１に交差するＸ軸方向の焦点距離と光軸ＡＸＬ１に交差するＹ軸方向の焦点距離が異なる。同様に、第２レンズ２０は、該第２レンズ２０の光軸ＡＸＬ２に交差するＸ軸方向の焦点距離と光軸ＡＸＬ２に交差するＹ軸方向の焦点距離が異なる。
【００２８】
次に、第１レンズ１０及び第２レンズ２０の夫々の具体的な形状について説明する。
【００２９】
図３は図２で示す第１レンズ１０のＡ−Ａ断面図であり、第１レンズ１０を該第１レンズ１０の光軸ＡＸＬ１を含むＺＸ平面で切断した断面（以下、ＺＸ断面と略称する）の図である。図４は図２で示す第１レンズ１０のＢ−Ｂ断面図であり、第１レンズ１０を該第１レンズ１０の光軸ＡＸＬ１を含むＺＹ平面で切断した断面（以下、ＺＹ断面と略称する）の図である。
【００３０】
第１レンズ１０は、レーザー光源５に対向する側の面（光入射面）１１は、ＺＸ断面の形状がレーザー光源５側に凹の所定の曲率（ｃ１）を有する曲線を呈し（図３参照）、ＺＹ断面の形状がＹ軸方向に沿って延びるほぼ直線を呈している（図４参照）。
【００３１】
光入射面１１の反対側の面（光出射面）１２は、ＺＸ断面の形状がレーザー光源５と反対側（光入射面１１と反対側）に凸の所定の曲率(ｃ２)を有する曲線を呈し（図３参照）、ＺＹ断面の形状もレーザー光源５と反対側（光入射面１１と反対側）に凸の所定の曲率（ｃ３）を有する曲線を呈している（図４参照）。
【００３２】
このとき、光入射面１１のＺＸ断面の曲率（ｃ１）と光出射面１２のＺＸ断面の曲率（ｃ２）とは互いにほぼ同じ曲率（曲率半径）で構成され、光出射面１２のＺＹ断面の曲率（ｃ３）は曲率（ｃ１）及び曲率（ｃ２）よりも大きい曲率（小さい曲率半径）で構成されている。
【００３３】
換言すると、第１レンズ１０は光入射面１１が、Ｙ軸方向に延びる直線をＸ軸方向に沿って、Ｚ軸方向の対向面（光出射面１２）側に所定の曲率（ｃ１）で凹状に移動した軌跡で構成され、光出射面１２側に所定の曲率（ｃ１）で凹んだ２次曲面で構成されている。
【００３４】
光出射面１２は、Ｙ軸方向に、Ｚ軸方向の対向面（光入射面１１）と反対側に所定の曲率（ｃ３）で凸状に延びる曲線を、Ｘ軸方向に沿って、Ｚ軸方向の対向面（光入射面１１）と反対側に所定の曲率（ｃ２）で凸状に移動した軌跡で構成され、Ｘ軸方向に沿う面及びＹ軸方向に沿う面の夫々が光入射面１１と反対側に所定の曲率（ｃ２）及び（ｃ３）で凸状に形成された３次曲面で構成されている。
【００３５】
図６は図５で示す第２レンズ２０のＣ−Ｃ断面図であり、第２レンズ２０を該第２レンズ２０の光軸ＡＸＬ２を含むＺＸ平面で切断した断面（以下、ＺＸ断面と略称する）の図である。図７は図５で示す第２レンズ２０のＤ−Ｄ断面図であり、第２レンズ２０を該第２レンズ２０の光軸ＡＸＬ２を含むＺＹ平面で切断した断面（以下、ＺＹ断面と略称する）の図である。
【００３６】
第２レンズ２０は、第１レンズ１０の光出射面１２に対向する側の面（光入射面）２１は、ＺＸ断面の形状がＸ軸方向に沿って延びるほぼ直線を呈し（図６参照）、ＺＹ断面の形状もＹ軸方向に沿って延びるほぼ直線を呈している。尚、ＺＹ断面の形状もＺＸ平面と同様の理由で第１レンズ１０の光出射面１２側に凸の所定の曲率（ｃ１２）を有する曲線でもよい。ただし、本実施形態の場合は光出射面１２からのＹ方向の光線が極めてコリメート光に近いため、要求される曲率は非常に小さく、曲面にした場合の効果はＺＸ断面ほど大きくない。そのため、本実施形態では成形性と製造コストを踏まえた上でＹ軸方向に沿って延びるほぼ直線形状となっている。
【００３７】
光入射面２１の反対側の面（光出射面）２２は、ＺＸ断面の形状が第１レンズ１０の光出射面１２と反対側（光入射面２１と反対側）に凸の所定の曲率（ｃ１１）を有する曲線を呈し（図６参照）、ＺＹ断面の形状もＹ軸方向に沿って延びるほぼ直線を呈している。
尚、ＺＹ断面の形状もＺＸ平面と同様の理由で第１レンズ１０の光出射面１２側に凸の所定の曲率（ｃ１２）を有する曲線でもよい。ただし、本実施形態の場合は光出射面１２からのＹ方向の光線が極めてコリメート光に近いため、要求される曲率は非常に小さく、曲面にした場合の効果はＺＸ断面ほど大きくない。そのため、本実施形態では成形性と製造コストを踏まえた上でＹ軸方向に沿って延びるほぼ直線形状となっている。
【００３８】
尚、本明細書におけるバイコーニックレンズとは、光学面が直交する２つの軸に対して異なる２つの曲率を有することを特徴とするレンズである。曲がっていない場合は曲率を０として扱う。したがって、シリンドリカルレンズもバイコーニックレンズに含む。ただし、第１レンズにおいてはシリンドリカルレンズではなく、直行する２つの軸に対してともに曲がった面形状(＝曲率が０よりも大きい)のレンズとする。
【００３９】
仮に第２レンズにおいてＺＹ断面の形状が曲面であるとしたら、光入射面２１のＺＹ断面の曲率（ｃ１２）と光出射面２２のＺＹ断面の曲率（ｃ１３）とは互いにほぼ同じ曲率（曲率半径）で構成される。
【００４０】
換言すると、第２レンズ２０は光入射面２１がＸＹ面に沿う平面で構成され、光出射面２２がＹ軸方向に延びる直線をＸ軸方向に沿って、Ｚ軸方向の対向面（光入射面２１）と反対側に所定の曲率（ｃ１１）で凸状に移動した軌跡で構成され、光入射面２１と反対側に所定の曲率（ｃ１１）で凸状となる２次曲面で構成されている。
【００４１】
次に、レーザー光源５から出射されて上記第１レンズ１０及び第２レンズ２０の２つのバイコーニックレンズによって光路制御されたレーザービームの集光特性について説明する。
【００４２】
図８に示すように、レーザー光源５から出射してＸ軸方向に放射状に発散しながら第１レンズ１０に向かうレーザービームＬ１は、レーザー光源５を取り囲むように位置する曲率ｃ１の曲面で構成された光入射面１１に至って該光入射面１１から第１レンズ１０に入射し、第１レンズ１０内を導光されて曲率ｃ２の曲面で構成された光出射面１２から第２レンズ２０に向けて出射される。
【００４３】
このとき、曲率ｃ１の曲面で構成された光入射面１１及び曲率ｃ２の曲面で構成された光出射面１２の夫々は、少なくともレーザービームの照射範囲内において、レーザービームの光線の光路とレーザービームの光線の到達点（入射点）における曲面の接線とがほぼ直交するような曲率で構成されている。尚、本実施形態ではレンズ厚み分の光入射面と光出射面における光線の到達点の位置のずれは、実際上は無視できる程度小さいものとして曲率ｃ１とｃ２とをほぼ同一にしている。
【００４４】
したがって、レーザー光源５から出射してＸ軸方向に放射状に発散しながら第１レンズ１０に向かうレーザービームＬ１は、ほぼそのまま第１レンズ１０内を直進して第２レンズ２０に向かう。
【００４５】
第２レンズ２０の光入射面２１に至った放射状に発散するレーザービームＬ１は、ＸＹ面に沿う平面で構成された光入射面２１で集光方向に屈折されて第２レンズ２０に入射し、第２レンズ２０内を導光されて光出射面２２に至る。
【００４６】
光出射面２２に至ったレーザービームＬ１は、曲率ｃ１１の曲面で構成された光出射面２２で更に集光方向に屈折されて該光出射面２２から外部に向けて出射される。
【００４７】
このように、レーザー光源５から出射してＸ軸方向に発散しながら進むレーザービームＬ１は、ほぼ第２レンズ２０のみによって光路制御（集光制御）が行われる。
【００４８】
一方、図９に示すように、レーザー光源５から出射してＹ軸方向に放射状に発散しながら第１レンズ１０に向かうレーザービームＬ２は、Ｙ軸方向に沿って延びる直線の軌跡による面で構成された光入射面１１に至り、光入射面１１で集光方向に屈折されて第１レンズ１０に入射し、第１レンズ１０内を導光されて光出射面１２に至る。
【００４９】
光出射面１２に至ったレーザービームＬ２は、曲率ｃ３の曲面で構成された光出射面１２で更に集光方向に屈折されて第２レンズ２０に向けて出射される。第２レンズ２０の光入射面２１に至った、第１レンズ１０で集光方向に屈折されて第２レンズ２０の光軸にほぼ沿って進むレーザービームＬ２は、ＸＹ面に沿う平面で構成された光入射面２１及びＸ軸方向に沿って延びる直線の軌跡による面で構成された光出射面２２を有する第２レンズ２０内をほぼそのまま直進して光出射面２２から外部に向けて出射される。
【００５０】
このように、レーザー光源５から出射してＹ軸方向に発散しながら進むレーザービームＬ２は、ほぼ第１レンズ１０のみによって光路制御（集光制御）が行われる。
【００５１】
ところで、上記構成の集光光学系１において、レーザー光源５から出射してＸ軸方向に進むレーザービームの倍率ｍ１は、図１０に示すようにレーザー光源５の位置(発光点)からレーザー光源５から出射したレーザービームの実質的な集光作用に係る第２レンズ２０の位置（実効屈折位置）までの距離をａ１とし、実効屈折位置から集光位置（集光点）３２までの距離をｂ１とすると、ｍ１＝（ｂ１／ａ１）の関係となる。
【００５２】
同様に、レーザー光源５から出射してＹ軸方向に進むレーザービームの倍率ｍ２は、図１１に示すようにレーザー光源５の位置(発光点)からレーザー光源５から出射したレーザービームの実質的な集光作用に係る第１レンズ１０の位置（実効屈折位置）までの距離をａ２とし、実効屈折位置から集光位置（集光点）３２までの距離をｂ２とすると、ｍ２＝（ｂ２／ａ２）の関係となる。
【００５３】
また、集光光学系１においては、レーザー光源５から出射してＸ軸方向に進むレーザービームとレーザー光源５から出射してＹ軸方向に進むレーザービームとは、互いに同一位置に集光像を形成するように設定されている。したがって、発光点から集光点までの距離をｃとすると、ｃ＝ａ１＋ｂ１＝ａ２＋ｂ２の関係となる。
【００５４】
したがって、ａ１＞ａ２及びｂ１＜ｂ２の関係より、ｍ１＝（ｂ１／ａ１）＜（ｂ２／ａ２）＝ｍ２となる。つまり、レーザー光源５から出射してＸ軸方向に進むレーザービームの方がレーザー光源５から出射してＹ軸方向に進むレーザービームよりも倍率が小さい。
【００５５】
そこで、レーザー光源５から出射して上記本発明の集光光学系１によって集光形成されたレーザービームの集光像３０（図１２参照）と、従来の構成による集光光学系によって集光形成された集光像３１（図１５参照）とを比較すると、本発明の集光光学系による集光像３０のＸ軸方向の長さ（長軸の長さ）が、従来の集光光学系による集光像３１のＸ軸方向の長さ（長軸の長さ）の約４０％に短縮されている。
【００５６】
つまり、長軸方向をＸ軸方向とし短軸方向をＹ軸方向とするＸ軸方向に長い形状の光源像に対して、レーザー光源５から出射してＸ軸方向に進むレーザービームの倍率をＹ軸方向に進むレーザービームの倍率よりも小さくて、Ｙ軸方向に進むレーザービームよりもＸ軸方向に進むレーザービームの集光率を高めた集光光学系１により、短軸の長さに対して長軸の長さが短縮された形状の集光像３１を得ることができる。
【００５７】
これにより、レーザービームの集光像のビーム小径化（縮小化）が実現し、集光光学系１を組み込んだ光照射装置の高解像度が可能となる。
【００５８】
ところで、レーザー光源５は光学特性として、短軸方向（Ｙ軸方向）に向けて出射されたレーザービームの拡散角は広く、長軸方向（Ｘ軸方向）に向けて出射されたレーザービームの拡散角は狭い。そこで、拡散角の広い短軸方向（Ｙ軸方向）に向けて出射されたレーザービームの実質的な集光作用に係る第１レンズ１０をレーザー光源５側に配置し、拡散角の狭い長軸方向（Ｘ軸方向）に向けて出射されたレーザービームの実質的な集光作用に係る第２レンズ２０をレーザー光源５から離れた位置に配置することにより、第１レンズ１０及び第２レンズ２０のいずれにおいても良好な光取り込み効率を確保することができる。
【００５９】
また、上述したように、レーザー光源５から出射してＸ軸方向に発散しながら進むレーザービームはほぼ第２レンズ２０のみによって光路制御（集光制御）が行われ、レーザー光源５から出射してＹ軸方向に発散しながら進むレーザービームはほぼ第１レンズ１０のみによって光路制御（集光制御）が行われ、第１レンズ１０及び第２レンズ２０のいずれもが、集光する光が進む軸方向に直交する軸方向に進む光が屈折することなく（集光作用が働くことなく）、互いに干渉することのない集光光学系となっている。したがって、集光光学系１により、ぼやけのない鮮明な輪郭を有する集光像を得ることが可能となる。
【００６０】
次に、上記集光光学系１を用いたＭＥＭＳを組み込んだレーザー走査系のＡＤＢシステムを備えた車両用灯具について、図１３の構成図を用いて説明する。
【００６１】
ＡＤＢシステムは、画像認識システムで前方に車両（対向車・先行車）の存在を検知すると、その検知領域に向かう光を部分的に遮断して車両（対向車・先行車）のドライバーに眩惑を与えることなくハイビーム照射時と同様の視界を確保することができるシステムである。
【００６２】
車両用灯具は、レーザー光源５、第１レンズ１０及び第２レンズ２０の２つのバイコーニックレンズによって集光光学系１が構成され、ＭＥＭＳの可動ミラー４０、波長変換部材４１及び投影レンズ４２を備えている。尚、図１３の集光光学系は、レーザー光源５から出射してＸ軸方向に進むレーザービームの集光に係る集光制御について示している。
【００６３】
レーザー光源５の位置からａ２の距離の位置に、レーザー光源５からＸ軸方向に出射したレーザービームがそのまま直進して透過する第1レンズ１０が配置され、レーザー光源５の位置からａ１の距離の位置に、レーザー光源５からＸ軸方向に出射したレーザービームが集光方向に屈折されてｂ１の距離の位置に集光像３１´を形成する第２レンズ２０が配置されている。
【００６４】
そして、第２レンズ２０からｂ１１の距離の位置にＭＥＭＳの可動ミラー４０が配置され、ＭＥＭＳの可動ミラー４０の位置から集光像３１´（虚像）までの距離ｂ１２と同一距離の位置に波長変換部材４１が配置されており、レーザー光源５からＸ軸方向に出射したレーザービームがＭＥＭＳの可動ミラー４０で反射されてその反射光が波長変換部材４１で集光像３１（実像）を形成するようになっている。
【００６５】
したがって、ｂ１＝ｂ１１＋ｂ１２の関係を有している。
【００６６】
波長変換部材４１は、照射されたレーザービームに励起されて励起光のレーザービームの波長よりも短波長の光に波長変換する蛍光物質を含有している。
【００６７】
例えば、レーザー光源５から出射されるレーザービームが青色光の場合、青色光に励起されて青色光の補色となる黄色光に波長変換する蛍光物質を含有することにより、レーザー光源５から出射された青色レーザービームの一部が蛍光物質を励起することによって波長変換された黄色光と、レーザー光源５から出射された青色レーザービームの一部との加法混色によって疑似白色光を得ることができる。
【００６８】
同様に、レーザー光源５から出射されるレーザービームが青色光の場合、青色光に励起されて緑色光及び赤色光にそれぞれ波長変換する２種類の蛍光体物質を含有することにより、レーザー光源５から出射された青色レーザービームの一部が蛍光物質を励起することによって波長変換された緑色光及び赤色光と、レーザー光源５から出射された青色レーザービームの一部との加法混色によって白色光を得ることができる。
【００６９】
その他、レーザー光源５から出射される光の波長と蛍光物質とを適宜に組み合わせることにより、白色光及び疑似白色光以外の種々な色相の光を得ることができる。
【００７０】
波長変換部材４１の前方には投影レンズ４２が配置されており、該投影レンズ４２に入射した光を屈折して所定の方向に向けて出射する配光制御機能を有している。
【００７１】
そこで、レーザー光源５から出射したレーザービーム（例えば、青色光）は、方向及び角度を連続的に可動制御されたＭＥＭＳの可動ミラー４０で反射されてその反射光が波長変換部材（例えば、黄色蛍光体物質が含有された波長変換部材）４１の走査範囲を２次元的に走査照射され、波長変換部材４１で色相変換された出射光（疑似白色光）が投影レンズ４２の走査範囲に２次元的に走査照射されて投影レンズ４２で屈折制御された出射光が前方を２次元的に走査照射して面状に照らす。
【００７２】
このとき、上述したように、画像認識システムで前方に車両（対向車・先行車）の存在を検知すると、照射光がその検知領域を走査するタイミングに合わせてレーザー光源５を非点灯にして検知領域に向かう光を部分的に遮断し、それによって車両（対向車・先行車）のドライバーに眩惑を与えることなくハイビーム照射時と同様の視界を確保することができる。
【００７３】
尚、レーザー光源５から出射されたレーザービームの光源像を上記集光光学系１を通して集光して小さくした集光像を波長変換部材４１に形成することにより、車両前方に向けられる走査照射光の高解像度化が可能となって非照明領域を高精度で設定することができ、対向車・先行車のドライバーに対する眩惑を効果的に防止することができると共に自車のドライバーに対して良好な視認性を付与することができる。
【００７４】
また、車両の前方が鮮明な輪郭を有する走査照射光で面状に照射されるため、照射走査範囲において明るさのムラが少なく、この点からも自車のドライバーに対して良好な視認性を確保することができる。
【００７５】
ところで、上記光照射装置は、第１レンズ１０と第２レンズ２０の２つのバイコーニックレンズの組み合わせによって光学機能を果たすように構成したが、同様の光学機能を１つのバイコーニックレンズに持たせることも可能である。その場合、バイコーニックレンズの一方の面(例えば光入射面)を、短軸方向に広がるレーザービームを集光方向に屈折して長軸方向に広がるレーザービームに対しては接線が光線に対し垂直になるような曲面とすることで直進させる光学機能面とし、他方の面(例えば光出射面)を、短軸方向に広がるレーザービームに対しては平坦面もしくは、接線が光線に対し垂直になるような曲面とすることで直進させて長軸方向に向かうレーザービームを集光方向に屈折する光学機能面とし、バイコーニックレンズの上記一方の面がレーザー光源側に位置するように配置する。
【００７６】
換言すると、バイコーニックレンズの一方の面に上述の第１レンズ１０の光学機能を持たせ、バイコーニックレンズの他方の面に上述の第２レンズ２０の光学機能を持たせる。
【００７７】
これにより、レーザー光源から出射して短軸方向に向かうレーザービーム及びレーザー光源から出射して長軸方向に向かうレーザービームは、１つのバイコーニックレンズによって互いに干渉することなく同一位置に集光像を形成する。
【００７８】
車両用灯具に上記構成からなる光照射装置を用いることにより、光学レンズの削減による車両用灯具の低コスト化及び光路長の短縮による車両用灯具の小型化が実現できる。
【符号の説明】
【００７９】
１…  集光光学系
５…  レーザー光源
１０…  第１レンズ
１１…  光入射面
１２…  光出射面
２０…  第２レンズ
２１…  光入射面
２２…  光出射面
３０…  集光像
３１…  集光像（実像）
３１´…  集光像（虚像）
３２…  集光位置（集光点）
４０…  ＭＥＭＳの可動ミラー
４１…  波長変換部材
４２…  投影レンズ
【図１】
2019129076.tif 000003
【図２】
2019129076.tif 000004
【図３】
2019129076.tif 000005
【図４】
2019129076.tif 000006
【図５】
2019129076.tif 000007
【図６】
2019129076.tif 000008
【図７】
2019129076.tif 000009
【図８】
2019129076.tif 000010
【図９】
2019129076.tif 000011
【図１０】
2019129076.tif 000012
【図１１】
2019129076.tif 000013
【図１２】
2019129076.tif 000014
【図１３】
2019129076.tif 000015
【図１４】
2019129076.tif 000016
【図１５】
2019129076.tif 000017